【事件の表示】
　特許第５８３３７９９号発明「プラガブルパケットマスタクロック」の特許異議申立事件について，次のとおり決定する。
【結　論】
　特許第５８３３７９９号の請求項１ないし１９に係る特許を維持する。
【理　由】
第１　手続の経緯
　特許第５８３３７９９号の請求項１ないし１９に係る特許についての出願は，２０１３年９月２３日（パリ条約に基づく優先権主張　外国庁受理　２０１２年９月２５日　米国）に国際出願され，平成２７年１１月６日に設定登録がされ，その後，平成２８年６月１６日にその特許に対し，特許異議申立人　オシロクアルツ　フィンランド　オサケユイチアにより特許異議の申立てがされたものである。
第２　本件特許
　特許第５８３３７９９号の請求項１ないし１９に係る発明（以下，「本件特許発明１」ないし「本件特許発明１９」という。）は，それぞれ，その特許請求の範囲の請求項１ないし１９に記載された事項により特定される次のとおりのものである。
「【請求項１】
　タイミング情報を提供する装置であって，
　基準時刻（ＴｏＤ）及び基準周波数を提供するプライマリリファレンスタイムクロック（ＰＲＴＣ）と，
　前記ＴｏＤ及び前記基準周波数を受信し，かつ前記ＴｏＤ及び前記基準周波数に対応するタイミングオーバーパケットプロシージャに基づいて，タイミングをスレーブクロックへ分配するように構成されるパケットマスタクロックと，
　前記ＰＲＴＣ及び前記パケットマスタクロックの両方を収容するハウジングであって，前記ハウジングが，前記パケットマスタクロックをパケット交換ネットワーク（ＰＳＮ）へ接続するために既存のスモールフォームファクタ（ＳＦＰ）準拠のケージに差し込むことに適した，ハウジングと，を備える装置。
【請求項２】
　前記ＰＲＴＣは，
　グローバルサテライトナビゲーションシステム（ＧＮＳＳ）衛星によって送信されたＧＮＳＳ伝送を受信するＧＮＳＳレシーバと，
　前記基準周波数を生成するために，受信された前記ＧＮＳＳ伝送を処理するＧＮＳＳプロセッサと，を備える請求項１に記載の装置。
【請求項３】
　前記ＰＲＴＣは，前記基準周波数を生成する内部発振器を備える請求項１又は２に記載の装置。
【請求項４】
　前記ＰＲＴＣは，外部周波数源から前記基準周波数を受信するための入力を含む請求項１から３のいずれか一項に記載の装置。
【請求項５】
　前記ＰＲＴＣは，前記装置が差し込まれるＳＦＰケージを含む前記ＳＦＰのネットワーク構成要素のバックプレーンの物理データ速度に対応する前記基準周波数を生成するクロックエクストラクタを含む請求項１から４のいずれか一項に記載の装置。
【請求項６】
　前記ＰＲＴＣは，
　グローバルサテライトナビゲーションシステム（ＧＮＳＳ）衛星によって送信されたＧＮＳＳ伝送を受信するＧＮＳＳレシーバと，
　前記ＴｏＤを生成するために，受信された前記ＧＮＳＳ伝送を処理するＧＮＳＳプロセッサと，を備える請求項１から５のいずれか一項に記載の装置。
【請求項７】
　前記ＰＲＴＣは，外部源からの基準ＴｏＤを受信するための入力を含む請求項１から６のいずれか一項に記載の装置。
【請求項８】
　前記ＰＲＴＣは，複数の予想基準周波数を受信し，前記複数の予想基準周波数から前記基準周波数を選択する周波数セレクタを備える請求項１から７のいずれか一項に記載の装置。
【請求項９】
　前記ＰＲＴＣは，
　グローバルサテライトナビゲーションシステム（ＧＮＳＳ）衛星によって送信されたＧＮＳＳ伝送を受信するＧＮＳＳグローバルサテライトナビゲーションシステムレシーバと，
　前記複数の基準周波数のうちの１つの予想基準周波数を生成するために，受信された前記ＧＮＳＳ伝送を処理するＧＮＳＳプロセッサと，を備える請求項８に記載の装置。
【請求項１０】
　前記ＰＲＴＣは，前記複数の基準周波数のうちの１つの予想基準周波数を生成する内部発振器を備える請求項８又は９に記載の装置。
【請求項１１】
　前記ＰＲＴＣは，外部周波数源から前記複数の基準周波数のうちの１つの予想基準周波数を受信するための入力を含む請求項８から１０のいずれか一項に記載の装置。
【請求項１２】
　前記ＰＲＴＣは，前記装置が差し込まれる前記ＳＦＰケージを含む前記ＳＦＰのネットワーク構成要素のバックプレーンの物理データ速度に対応する前記複数の基準周波数のうちの１つの予想基準周波数を生成するクロックエクストラクタを含む請求項８から１１のいずれか一項に記載の装置。
【請求項１３】
　前記ＰＲＴＣは，複数の予想基準ＴｏＤの中から１つの基準ＴｏＤを選択するＴｏＤセレクタを備える請求項１から１２のいずれか一項に記載の装置。
【請求項１４】
　前記ＰＲＴＣは，
　グローバルサテライトナビゲーションシステム（ＧＮＳＳ）衛星によって送信されたＧＮＳＳ伝送を受信するＧＮＳＳレシーバと，
　前記複数の基準ＴｏＤのうちの１つの予想基準ＴｏＤを生成するために，受信された前記ＧＮＳＳ伝送を処理するＧＮＳＳプロセッサと，を備える請求項１３に記載の装置。
【請求項１５】
　前記ＰＲＴＣは，外部源からの前記複数のＴｏＤのうちの１つの予想基準ＴｏＤを受信するための入力を含む請求項１３又は１４に記載の装置。
【請求項１６】
　前記タイミングオーバーパケットプロシージャは，ＩＥＥＥ−１５８８−２００８に準拠する請求項１から１５のいずれか一項に記載の装置。
【請求項１７】
　前記タイミングオーバーパケットプロシージャは，ネットワークタイムプロトコル（ＮＴＰ）に準拠する請求項１から１６のいずれか一項に記載の装置。
【請求項１８】
　請求項１から１７のいずれか一項に記載の複数の前記装置を備えるＰＳＮ。
【請求項１９】
　前記複数の装置のうちの１つの装置に含まれるパケットマスタクロックによって分配されるタイミング情報を受信するスレーブクロックを備える請求項１８に記載のＰＳＮ。」
第３　申立理由の概要　
　異議申立人は，以下の証拠を提出し，本件特許発明１ないし１９は，以下のとおり，特許法第２９条第１項第３号又は第２項の規定に違反してされたものであるから，本件特許発明１ないし１９に係る特許を取り消すべきものである旨主張している。
１．証拠
　異議申立人が提出した証拠は以下のとおりである。（括弧内は，著者，公知日，ＵＲＬを示す。）
（１）甲第１号証
　米国特許出願公開第２０１１／０２０００５１号明細書
　（２０１１年８月１８日）
（２）甲第２号証
　Draft new Recommendation ITU-T G.8272/Y.1367
　(ITU-T／２０１２年９月２１日）
（３）甲第３号証
　TimeProvider 5000 IEEE 1588 Grand Master Clock / NTP Server
　（Symmetricom Inc.／２０１１年９月）
（４）甲第４号証
　IEEE-1588 Standard for a Precision Clock Synchronization Protocol for Networked Measurement and Control Systems
　（Agilent Technologies, Inc.／２００５年１０月１０日）
（５）甲第５号証
　欧州特許出願公開第１４５３３４６号明細書
　（２００４年９月１日）
（６）甲第６号証
　The evolution of the pluggable module, HDTV launched fiber into the broadcast mainstream （２０１２年８月１日）（URL: http://www.tvtechnology.com/multiformat/0112/the-evolution-of-the-pluggable-module/267340）
（７）甲第７号証
　国際公開第２００６／０９２７８１号
　（２００６年９月８日）
（８）甲第８号証
　OE Solutions and AimValley announce Smart SFPTM with OC-3/STM-1 over Packet
　（２０１２年４月１２日）（URL:http://www.aimvalley.com/documents/PR_AimValley_OESolutions_TSOP_ENG_final_v2.pdf#zoom=100）
（９）甲第９号証
　フィンランド国実用新案登録第７５３０号明細書
　（２００７年６月１２日）
（１０）甲第１０号証
　TimeSource 3500 GPS Primary Reference Source
　（Symmetricom, Inc.／２００７年１０月）
（１１）甲第１１号証
　Synchronous　Ethernet: A Method to Transport Synchronization
　（IEEE Communications Society／２００８年９月）
（１２）甲第１２号証
　Recommendation ITU-T G.8271/Y.1366
　（ITU-T／２０１２年２月）
２．本件特許発明と，異議申立理由及び証拠との関係
　本件特許発明の各々について，特許異議申立理由と，引用する証拠との関係は次のとおりである。
（１）本件特許発明１
　理由１−１：特許法第２９条第１項第３号に対して，甲第１号証
　理由１−２：特許法第２９条第２項に対して，甲第１号証
　理由１−３：特許法第２９条第２項に対して，甲第２，１及び５ないし８号証
　理由１−４：特許法第２９条第２項に対して，甲第３，１及び５ないし８号証
（２）本件特許発明２
　理由２：特許法第２９条第２項に対して，甲第１，２，９及び１０号証
（３）本件特許発明３
　理由３−１：特許法第２９条第１項第３号に対して，甲第１号証
　理由３−２：特許法第２９条第２項に対して，甲第１号証
（４）本件特許発明４
　理由４−１：特許法第２９条第１項第３号に対して，甲第１号証
　理由４−２：特許法第２９条第２項に対して，甲第１号証
（５）本件特許発明５
　理由５：特許法第２９条第２項に対して，甲第１号証及び甲第１１号証
（６）本件特許発明６
　理由６：特許法第２９条第２項に対して，甲第１，２，９及び１０号証
（７）本件特許発明７
　理由７−１：特許法第２９条第１項第３号に対して，甲第１号証
　理由７−２：特許法第２９条第２項に対して，甲第１号証
（８）本件特許発明８
　理由８−１：特許法第２９条第１項第３号に対して，甲第１号証
　理由８−２：特許法第２９条第２項に対して，甲第１号証
（９）本件特許発明９
　理由９：特許法第２９条第２項に対して，甲第１，２，９及び１０号証
（１０）本件特許発明１０
　理由１０：特許法第２９条第２項に対して，甲第１号証
（１１）本件特許発明１１
　理由１１−１：特許法第２９条第１項第３号に対して，甲第１号証
　理由１１−２：特許法第２９条第２項に対して，甲第１号証
（１２）本件特許発明１２
　理由１２：特許法第２９条第２項に対して，甲第１及び１１号証
（１３）本件特許発明１３
　理由１３−１：特許法第２９条第１項第３号に対して，甲第１号証
　理由１３−２：特許法第２９条第２項に対して，甲第１号証
（１４）本件特許発明１４
　理由１４：特許法第２９条第２項に対して，甲第１，２，９及び１０号証
（１５）本件特許発明１５　　　　
　理由１５−１：特許法第２９条第１項第３号に対して，甲第１号証
　理由１５−２：特許法第２９条第２項に対して，甲第１号証
（１６）本件特許発明１６
　理由１６−１：特許法第２９条第１項第３号に対して，甲第１号証
　理由１６−２：特許法第２９条第２項に対して，甲第１号証
（１７）本件特許発明１７
　理由１７−１：特許法第２９条第１項第３号に対して，甲第１号証
　理由１７−２：特許法第２９条第２項に対して，甲第１号証
（１８）本件特許発明１８
　理由１８−１：特許法第２９条第１項第３号に対して，甲第１号証
　理由１８−２：特許法第２９条第２項に対して，甲第１号証
（１９）本件特許発明１９
　理由１９−１：特許法第２９条第１項第３号に対して，甲第１号証
　理由１９−２：特許法第２９条第２項に対して，甲第１号証
第４　証拠の記載内容（証拠能力の有無）
１　甲第１号証
　甲第１号証（米国特許出願公開第２０１１／０２０００５１号明細書）（公知日：２０１１年８月１８日）には，ETHERNET NETWORK SYNCHRONIZATION SYSTEMS AND METHODS（発明の名称：［当審仮訳］イーサネットネットワーク同期システム及び方法）に関し，図面とともに，以下の事項が記載されている。
（１）「[0001] The present invention relates generally to Ethernet networks. More particularly, the present invention relates to Ethernet network synchronization systems and methods utilizing Synchronous Ethernet (referred to herein as Sync-E) and various IEEE 1588 Precision Time Protocol (PTP) standards in a combined fashion along with a set of rules on node placement, such as Boundary Clock (BC) nodes and Sync-E nodes, a clock selection algorithm, a holdover algorithm, and the like.」（第１ページ）
（［当審仮訳］ ［０００１］　本発明は，一般的にはイーサネットネットワークに関する。より具体的には，本発明は，シンクロナスイーサネット（以下，「Ｓｙｎｃ−Ｅ」とする。）及び様々なＩＥＥＥ　１５８８　プレシジョンタイムプロトコル（ＰＴＰ）の規格を，バウンダリークロック（ＢＣ）ノード，Ｓｙｎｃ−Ｅノード，クロック選択アルゴリズム，及びホールドオーバーアルゴリズム等のノード配置に関する一式の取り決めと共に組み合わせた方式で利用した，イーサネットネットワーク同期システム及び方法に関する。）
（２）「[0003] Alternatively IEEE 1588 can be used to distribute timing. As described herein, IEEE 1588 or just #1588# is used to refer to IEEE 1588-2002, 1588v2-2008 Precision Time Protocol (PTP) standards and any variations thereof. PTP operates on the principle of timestamps applied to packets that are sent from a timing source (reference master) to a timing slave. Timestamps are applied in order to allow a slave to synchronize to a source. A receiver slave thus can recreate the original clock by reading these timestamps and adapting its own clock to them. (i.e., typical the source clock is stratum compliant and Building Integrated Timing Supply (BITS) referenced). Timing means both frequency and phase/Time of Day (ToD). （以下省略）」（第１ページ）
（［当審仮訳］［０００３］　代替として，タイミングを分配するためにＩＥＥＥ　１５８８を用いることができる。ここで述べられている様に，ＩＥＥＥ　１５８８又は単に「１５８８」は，ＩＥＥＥ　１５８８−２００２，１５８８ｖ２−２００８プレシジョンタイムプロトコル（ＰＴＰ）標準及びその任意の派生を意味するものとする。ＰＴＰは，タイミングソース（リファレンスマスタ）タイミングスレーブに送信されるパケットに適用されるタイムスタンプの原理に基づいて動作する。タイムスタンプは，スレーブをソースに同期させるために適用される。この様に，レシーバスレーブは，これらタイムスタンプを読み込み且つ自身のクロックをこれらタイムスタンプに合わせることによって，オリジナルのクロックを再現することができる。（すなわち，典型的には，ソースクロックは，層に準拠しており，ビルディングインテグレーテッドタイミングサプライ（ＢＩＴＳ）が参照される。）タイミングは，周波数及び位相／時刻（ＴｏＤ）の両者を意味する。（以下省略））
（３）「[0004] Equivalently to 1588 PTP, Network Time Protocol (NTP) (such as NTPv4 or other variants) may be used.」（第１ページ）
（［当審仮訳］［０００４］　１５８８　ＰＴＰと同等に，ネットワークタイムプロトコル（ＮＴＰ）（例えば，ＮＴＰｖ４又は他の派生物）を使用してもよい。）
（４）「[0005]（…中略…）The clock regeneration node may be configured to regenerate Sync-E for downstream nodes without requiring Sync-E upstream, and wherein the reference clock is according to the IEEE 1588 protocols and operable to transverse asynchronous nodes while being rebuilt at the clock regeneration node.」（第１ページ）
（［当審仮訳］［０００５］（…中略…）クロック再生ノードは，上流のＳｙｎｃ−Ｅを必要とせずに下流ノードのためにＳｙｎｃ−Ｅを再生するように構成されても良い。そして，基準クロックは，ＩＥＥＥ　１５８８プロトコルに従い，クロック再生ノードで再構築される間に非同期のノードを通過するように動作可能である。」（段落［０００５］第１８〜２３行目）
（５）「[0006]（…中略…）The Boundary Clock node is configured to receive a reference clock in an Ethernet connection previously traversing asynchronous nodes and to regenerate the reference clock.」（第２ページ）
（［当審仮訳］（…中略…）バウンダリークロックノードは，以前は非同期ノードを通過していたリファレンスクロックをイーサネット接続において受信し，且つ，リファレンスクロックを再現するように構成される。）
（６）「[0024] Referring to FIGS.2a- 2d, in exemplary embodiments, various Ethernet networks 200a, 200b, 200c and a Transparent Clock (TC) node 202 are illustrated. The Ethernet network 200a in FIG.2a is a per-hop PTP 1588 network with Transparent Clocks at each node 202 such that Ordinary Clock (OC) Slave nodes 204 only have to filter timing jitter and wander accumulated from PHY's at every hop and a Boundary Clock (BC) node 206 that distributes the clock. The network 200a is an example of a full PTP network where each node 202,204 has PTP capability. FIGS. 2a and 2c include labels M for master and S for slave to indicate nodal clock relationships.（…中略…）FIG.2d is a block diagram of associated functionality in the TC node 202. Specifically, the node 202 is modeled as a switch with an ingress port and an egress port. From the ingress port, the node 202 provides a 1588 ingress stamp 212,performs core switching functions 214,and provides a 1588 egress stamp 216.This is because the residence time of a packet in the node 202 is not known ahead of time as it depends on a variety of factors, such as packet priority, switch load, egress port load, etc. As such, PTP requires specialized hardware support to timestamp packets entering and leaving the switch nodes. This corrects for packet residence time in the switches. PTP nodes with this capability are referred to as Transparent Clock nodes (TC).」（第３ページ）
（［当審仮訳］［００２４］　図２ａ−２ｄを参照すると，典型的な実施例として，様々なイーサネットネットワーク２００ａ，２００ｂ，２００ｃ及びトランスペアレントクロック（ＴＣ）ノード２０２が図示されている。図２ａのイーサネットネットワーク２００ａは，オーディナリクロック（ＯＣ）スレーブノード２０４のみが各ホップ及びクロックを分配するバウンダリクロック（ＢＣ）ノード２０６からのＰＨＹにより累積したタイミングジッタ及びワンダをフィルタしなければならない，各ノードにおいてトランスペアレントクロックを有するパー・ホップＰＴＰ１５８８ネットワークである。ネットワーク２００ａは，各ノード２０２，２０４がＰＴＰ能力を有するフルＰＴＰネットワークの例である。図２ａ及び２ｃは，”Ｍ”をマスタ，”Ｓ”をスレーブとするラベルを含み，ノード間のクロックの関係を示す。（…中略…）図２ｄは，ＴＣノード２０２の機能を示すブロック図である。特に，ノード２０２は，入口ポート及び出口ポートを含むスイッチとしてモデル化されている。入口ポートから，ノード２０２は，１５８８入口スタンプ２１２を提供し，コアスイッチング機能２１４を実行し，１５８８出口スタンプ２１６を提供する。これは，ノード２０２内のパケット滞在時間が，様々な要因，例えば，パケット優先度，スイッチ負荷，出口ポート負荷等により，前もって知ることができないからである。よって，ＰＴＰは，スイッチノードに入るパケット及び出るパケットにタイムスタンプするための特別なハードウェアのサポートを要する。このことにより，スイッチにおけるパケット滞在時間を修正する。この能力を有するＰＴＰノードは，トランスペアレントクロックノード（ＴＣ）として参照される。）
（７）「[0026]（…中略…）The ring 404 may include an OC node 418 connected to a branch 420 in the ring 404 with the OC node 418 receiving a BITS or Global Positioning Satellite (GPS) timing reference.」（第３ページ）
（［当審仮訳］［００２６］（…中略…）リング４０４は，リング４０４内のブランチ４２０に接続されたＯＣノード４ １８であって，ＢＩＴＳ又はグローバルポジショニングサテライト（ＧＰＳ）による基準タイミングを受信するためのＯＣノード４１８を含んでもよい。）
（８）「[0027] The present invention utilizes a clock regeneration node (also known as a boundary clock BC) at a ring drop off point, e.g. nodes 406 a, 406 b, 406 c.」（第３ページ）
（［当審仮訳］［００２７］　この発明は，例えば，ノード４０６ａ，４０６ｂ，４０６ｃなどのリングのドロップオフポイントでのクロック再生ノード（バウンダリクロックＢＣとしても知られる）を利用する。」
（９）「[0039] Referring to FIG.11, in an exemplary embodiment, a perspective view illustrates a pluggable optical transceiver 1100, such as a Small Form Factor Pluggable (SFP) or the like. The optical transceiver 1100 includes integrated circuitry 1102 mounted therein to a printed circuit board 1104. The integrated circuitry 1102 may be one or more application specific integrated circuits (ASICs) to support both the electronics of the transmit and receive (Tx/Rx). The optical transceiver 1100 further includes a light transmitter 1106 (i.e., an EO converter) and a light receiver 1108 (i.e., an OE converter). The optical transceiver 1100 can be compatible with XFP, 300-pin, XPAK, X2, XENPAK MSAs, and other proprietary or standard packages. The printed circuit board 1104 includes top and bottom pads (top pads illustrated) to form an edge connection 1110 to couple to a socket of a host device (not shown). A housing 1112 couples around the printed circuit board 1104 to protect and shield the integrated circuitry 1102 and other components in the transceiver 1100. Note, the housing 1112 is typically defined in the Multi Source Agreement (MSA). A front fiber optic plug receptacle 1120 is provided with openings 1122 to interface with one or more fiber optic cables and their plugs. A mechanical latch/release mechanism 1124 can be provided as part of the optical transceiver 1100. While the optical transceiver 1100 has been described has having both light transmission and light reception capability, it may be a fiber optic transmitter module with light transmission only or a fiber optic receiver module with light reception only.
[0040] The present invention may include 1588 TC timestamping in the transceiver 1100,e.g., an SFP, as an inexpensive way of upgrading existing equipment on a port-by-port basis. Herein, the present invention may include a method of using an Inter-Integrated Circuit (I2C) interface (I/F) to phase synchronize SFPs. SFPs are field replaceable optical units typically containing some monitoring and drivers and management (the latter over an I2C bus) and power. The present invention can incorporate the TC of FIG.2d into the SFP (or into an SFP carrier that itself is SFP compliant), in order to easily add 1588 compliance to an existing (legacy) network, i.e., adding protocol interpreting logic to an optical SFP, and thus can now timestamp ingress and egress messages (normally 1588 messages) in order to mark switch residence time and eliminate switch (or other node) jitter (usually due to traffic conditions). This may also include a BC clock embedded.」（第６−７ページ）
（［当審仮訳］［００３９］　図１１を参照すると，他の典型的な実施例において，スモールフォームファクタプラガブル（ＳＦＰ）又はそのようなプラガブル光学トランシーバ１１００の外観図が記載されている。光学トランシーバ１１００は，プリント回路基板１１０４に搭載された統合的な電気回路１１０２を含む。統合的な電気回路１１０２は，送信及び受信（Ｔｘ／Ｒｘ）の電子工学をサポートする１又は複数の特定用途向け集積回路（ＡＳＩＣｓ）であってもよい。光学トランシーバ１１００は，さらに，光送信器１１０６（例えば，ＥＯ変換器）と光受信器１１０８（例えばＯＥ変換器）を含む。光学トランシーバ１１００は，ＸＦＰ，３００−ｐｉｎ，ＸＰＡＫ，Ｘ２，ＸＥＮＰＡＫ　ＭＳＡｓ及び他の専有の又は標準的なパッケージと互換であることができる。プリント回路基板１１０４は，ホストデバイス（図示されない）のソケットに結合するための端部接続部１１１０を形成する表面パッド（図示されている）及び裏面パッドを含む。ハウジング１１１２は，統合的な電気回路１１０２及びトランシーバ１１００内の他の部品を保護し遮蔽するために，プリント回路基板１１０４を囲むように結合する。ここで，ハウジング１１１２は，典型的には，メーカー間合意規格（マルチソースアグリーメント：ＭＳＡ）において定義される。前面ファイバー光プラグレセプタクル１１２０は，開口１１２２とともに設けられ，１又は複数のファイバー光学ケーブル及びそのプラグとインターフェースする。機械的ラッチ／解放メカニズム１１２４は，光学トランシーバ１１００の一部を構成してもよい。光学トランシーバ１１００は，光送信及び光受信の両機能を備えるものとして述べてきたが，光送信機能のみを備えるファイバー光学送信器モジュール，又は，光受信機能のみを備えるファイバー光学受信器モジュールであってもよい。
［００４０］　本発明は，例えば，ポートごとに既存の設備をアップグレードするための安価な手段として，ＳＦＰ等のトランシーバ１１００内に１５８８ＴＣタイムスタンピングを含んでも良い。ここで，本発明は，ＳＦＰを位相同期するためのＩＣ間（Ｉ２Ｃ）インタフェース（Ｉ／Ｆ）を用いた手段を含んでも良い。ＳＦＰ は，典型的にはモニタリング，ドライバ，管理（Ｉ２Ｃバスを介した後者），及び，パワーを含んだ，現場で交換可能な光学ユニットである。本発明は，簡単に１５８８の適合性を既存の（古い仕様の）ネットワークに加えるため，すなわち，光学ＳＦＰに対するロジックを解釈するプロトコルを加えるために，図２ｄのＴＣをＳＦＰ内に（又はそれ自身がＳＦＰに準拠したＳＦＰキャリア内に）含んでも良く，したがって，スイッチ滞留時間を記録し且つスイッチ（又は，他のノード）のジッタ（通常はトラフィックの状況による）を排除するために，出入りするメッセージ（通常は１５８８のメッセージ）をタイムスタンプすることができる。これには，ＢＣクロックが組み込まれていても良い。）
（１０）「[0044]（…中略…） The 1588 Best Master algorithm allows 1588 clocks to select a clock source from multiple timing masters (e.g., nodes 416, 418 in FIG. 4 ). The clock selection algorithm 1200 may based on (in order): Priority1 {clockClass, clockAccuracy, offsetScaledLogVariance}, Priority2: {clockIdentity (for tie-breaking)} and this priority information is obtained/distributed either with special G.826x series messages, or with 1588 Synch Messages (synch messages are used to build the timing tree#what timing source to use). 」（第８ページ）
（［当審仮訳］［００４４］（…中略…）１５８８ベストマスターアルゴリズムによって，１５８８クロックは，複数のタイミングマスタ（例えば，図４のノード４１６，４１８）からクロックソースを選択することが可能となる。クロック選択アルゴリズム１２００は，（順番に），プライオリティ１{clockClass，clockAccuracy，offsetScaledLogVariance}，プライオリティ２:{clockIdentity（タイブレーキングのための）｝に基づいていても良い。このプライオリティ情報は，特別なＧ．８２６ｘシリーズのメッセージ，又は１５８８同期メッセージ（同期メッセージはタイミングツリー，すなわち，何れのタイミングを用いるかを構築するために利用される。）と共に取得／分配される。）
（１１）「
」
（Ｆｉｇ２ａ−２ｄ）
（１２）「
」
（Ｆｉｇ．４）
（１３）「
」
（Ｆｉｇ．１１）
（１４）「
」
（Ｆｉｇ．１２）
　以下，前記（１）ないし（１４）の記載並びに本件特許の優先日における技術常識を参酌して，甲第１号証に記載した事項について検討する。
ア　甲第１号証の図１１（Ｆｉｇ．１１）には，「プラガブル光学トランシーバ」（１１００）が記載されている。
　そして，前記（９）の「ＳＦＰ等のトランシーバ１１００」との記載によれば，当該「プラガブル光学トランシーバ」は，それ自体が，「ＳＦＰ」（スモールフォームファクタ）であるが，当該「ＳＦＰ」は，光ファイバーを通信機器に接続する光学トランシーバの規格であることは技術常識であるところ，前記記載は，当該「プラガブル光学トランシーバ」が，「ＳＦＰ」の規格に準拠した光学トランシーバであることを意味する。
　また，当該「プラガブル光学トランシーバ」は，前記（９）によれば，「現場で交換可能な光学ユニット」であり，メーカー間合意規格であるマルチソースアグリーメント（ＭＳＡ）において定義される「ハウジング」を備えるものであるが，メーカー間合意規格が，光トランシーバに関し，共通の外形寸法やピン配置に関する業界規格であって，ＳＦＰに係る規格を含むことは技術常識である。そうすると，当該「プラガブル光学トランシーバ」の「ハウジング」は，ＭＳＡにおいて定義される，ＳＦＰの規格に準拠した形状であるといえる。また，「プラガブル」が，「抜き差しできる」との意味を含み，実際，甲第１号証の図１１の記載から，当該「プラガブル光学トランシーバ」の「ハウジング」が，抜き差しできる形状を備えていることは明らかである。そうすると，当該「プラガブル光学トランシーバ」の端部接続が結合されるソケットを備えるホストデバイスは，当該「プラガブル光学トランシーバ」の「ハウジング」が抜き差しできる形状を備えている必要があり，その形状も，ＭＳＡにおいて定義される，ＳＦＰの規格に準拠した形状でなければならないことは自明である。また，ホストデバイスにおいて，当該「プラガブル光学トランシーバ」の「ハウジング」が抜き差しされる部分（端部接続部１１１０が接続されるソケットのある部分）を「ケージ」（箱）と称することは任意である。
　よって，甲第１号証には，「既存のスモールフォームファクタ（ＳＦＰ）基準のケージに差し込むことに適した，ハウジング」を備える「光学トランシーバ」が記載されているといえる。
イ　前記（９）の[００３９]より，「ハウジング」が，「電気回路」（１１０２）を収容するものであることは自明である。
ウ　前記（９）の「ＳＦＰ等のトランシーバ１１００内に１５８８ＴＣタイムスタンピングを含んでも良い。」との記載から，「プラガブル光学トランシーバ」（１１００）は，「１５８８ＴＣタイムスタンピング」なる機能又は手段を含むものと解される。ここで，「１５８８」は「ＩＥＥＥ１５８８」の規格であることは明らかであり，また，「ＴＣ」とは，前記（６）の「トランスペアレントクロック（ＴＣ）ノード２０２」及び「トランスペアレントクロックノード（ＴＣ）」との記載から，「トランスペアレントクロック」又は「トランスペアレントクロックノード」のことである。また，前記（９）の「図２ｄのＴＣをＳＦＰ内に（又はそれ自身がＳＦＰに準拠したＳＦＰキャリア内に）含んでも良く，（…中略…），出入りするメッセージ（通常は１５８８のメッセージ）をタイムスタンプすることができる。」との記載から，「ＳＦＰ」の規格に準拠した当該「プラガブル光学トランシーバ」は，「ＴＣ」を含むことにより，メッセージにタイムスタンプをする機能を備えるものといえる。そうすると，前記「１５８８ＴＣタイムスタンピング」とは，「ＩＥＥＥ１５８８によるタイムスタンプ機能」であるといえる。
　よって，甲第１号証には，「光学トランシーバ」が，「ＩＥＥＥ１５８８によるタイムスタンプ機能」を備えることが記載されているといえる。
エ　前記（９）の「これには，ＢＣクロックが組み込まれていても良い。」との記載から，甲第１号証には，「プラガブル光学トランシーバ」（１１００）に「ＢＣクロック」なるものが組み込まれることが記載されているといえる。
　ここで，前記「ＢＣクロック」の「ＢＣ」は，前記（１）及び（６）の「バウンダリクロック（ＢＣ）ノード」との記載からすると「バウンダリクロック」のことであるが，前記（８）の「クロック再生ノード（バウンダリクロックＢＣとしても知られる）」との記載及び前記（５）の「
バウンダリークロックノードは
クロックを再現する
　そうすると，前記「ＢＣクロック」は，「バウンダリクロッククロック」又は「バウンダリクロックノードクロック」のこととなり，意味が不明であるから，前記「ＢＣクロック」は，「ＢＣ」又は「ＢＣノード」の誤記と解するのが合理的である。そうすると，当該「プラガブル光学トランシーバ」は，「バウンダリクロッククロック」又は「バウンダリクロックノードクロック」の機能である，クロックを再生する機能を有しているといえる。
　そして，前記（２）の「ＰＴＰは，タイミングソース（リファレンスマスタ）タイミングスレーブに送信されるパケットに適用されるタイムスタンプの原理に基づいて動作する。タイムスタンプは，スレーブをソースに同期させるために適用される。この様に，レシーバスレーブは，これらタイムスタンプを読み込み且つ自身のクロックをこれらタイムスタンプに合わせることによって，オリジナルのクロックを再現することができる。」との記載からすると，「スレーブ」は，「マスタ」からタイムスタンプを読み込んで，タイムスタンプに自身のクロックを合わせることによりクロックを再生しており，前記（６）の「図２ａ及び２ｃは，”Ｍ”をマスタ，”Ｓ”をスレーブとするラベルを含み，ノード間のクロックの関係を示す。」との記載及び図２ａの記載によると，ＢＣノード２０６は，上流のＯＣノードに対しては「スレーブ」であり，下流のＯＣノードに対しては，「マスタ」であるから，上流のＯＣノードから受信したタイムスタンプからクロックを再生して，再生したクロックに基づいてタイムスタンプを生成してタイムスタンプを送信することにより下流のＯＣノードにクロックを再現させていると解される。また，前記（２）の「タイミングを分配するためにＩＥＥＥ　１５８８を用いることができる。」及び「タイミングは，周波数及び位相／時刻（ＴｏＤ）の両者を意味する。」との記載から，再生したクロックに基づくタイムスタンプの送信は，「タイミングの分配」といい得るものであり，当該「タイミングの分配」は，「周波数及び位相／時刻（ＴｏＤ）の分配」といい得るものである。
　また，前記（２）の「代替として，タイミングを分配するためにＩＥＥＥ　１５８８を用いることができる。ここで述べられている様に，ＩＥＥＥ　１５８８又は単に「１５８８」は，ＩＥＥＥ　１５８８−２００２，１５８８ｖ２−２００８プレシジョンタイムプロトコル（ＰＴＰ）標準及びその任意の派生を意味するものとする。ＰＴＰは，タイミングソース（リファレンスマスタ）タイミングスレーブに送信されるパケットに適用されるタイムスタンプの原理に基づいて動作する。」の記載及び前記ウの検討を踏まえると，前記「タイミングの分配」に係る処理は，ＩＥＥＥ　１５８８のＰＴＰ（プレシジョンタイムプロトコル）に基づいていると解される。
　さらに，前記（９）の[００３９]及び図１１の記載より，「プラガブル光学トランシーバ」（１１００）は，処理手段として，電気回路１１０２，光送信器１１０６及び光受信器１１０８を備えており，前記「タイミングの分配」に係る処理が，電気回路１１０２により実現され得ることは自明である。
　以上より，甲第１号証には，「光学トランシーバ」が，「ＩＥＥＥ　１５８８のＰＴＰ（プログラムレジションタイムプロトコル）に基づいて，マスタから受信したタイムスタンプに基づいてクロックを再生し，再生したクロックに基づいてタイムスタンプを生成して，自身がマスタとして前記生成したタイムスタンプをスレーブに送信することにより，スレーブにタイミングを分配するように構成される電気回路」を備えることが記載されている。
　前記（１）ないし（１０）並びにアないしエの検討から，甲第１号証には，以下の発明（以下，「甲１発明」という。）が記載されていると認める。
「　タイミングを分配する光学トランシーバであって，
　ＩＥＥＥ　１５８８のＰＴＰ（プレシジョンタイムプロトコル）に基づいて，マスタから受信したタイムスタンプに基づいてクロックを再生し，再生したクロックに基づいてタイムスタンプを生成して，自身がマスタとして前記生成したタイムスタンプをスレーブに送信することにより，スレーブにタイミングを分配するように構成される電気回路と，
　前記電気回路を収容するハウジングであって，
前記ハウジングが，既存のスモールフォームファクタプラガブル（ＳＦＰ）準拠のケージに差し込むことに適した，ハウジングと，を備える光学トランシーバ。」
２　甲第２号証
　甲第２号証（Draft new Recommendation ITU-T G.8272/Y.1367）の表紙脚注の枠囲いの中には，次のように記載されている。（以下，これを「脚注注意事項」という。）
「Attention: This is not a publication made available to the public, but an intentional ITU-T Document intended only for use by the Member States of ITU, by ITU-T Sector Members and Associates, and their respective staff and collaborators in their ITU related work. It shall not be made available to, and used by, any other persons or entities without the prior written consent of ITU-T.」
（［当審仮訳］注意：これは，公衆に利用可能な刊行物ではなく，ＩＴＵの加入国，ＩＴＵ−Ｔセクタの会員及び準会員，並びに，彼らのＩＴＵに関連する作業における各自の職員及び協力者のみの使用が意図された意図的なＩＴＵ−Ｔ文書である。これは，書面によるＩＴＵ−Ｔの事前の同意なしに，他のいかなる者又は機関に対して利用可能とされてはならず，及び，他のいかなる者又は機関によって利用されてはならない。）
　この脚注注意事項の「公衆に利用可能な刊行物ではなく」によると，甲第２号証は，特許法第２９条第１項第３号の「頒布された刊行物」ではない。また，甲第２号証が，インターネット等を介して公開されたという事実は認められないから，特許法第２９条第１項第３号の「電気通信回線を通じて公衆に利用可能となった」ものでもない。
　なお，異議申立人が別途提出した参考資料Ｖ（Kenneth Gerard Hann氏による証明書）には，甲第２号証を指すものであると異議申立人が主張する「T09-S15-120910-TD-PLEN-0686!R3!MSW-E」について，「２０１２年９月１０〜２１日にスイスのジェノバにて開催されたＩＴＵ−Ｔの第１５スタディグループの全員出席の会議において，議論され，編集され，且つ，承諾されたものであることをここに証明します。更に，私は，上記の会議の出席者は，守秘義務が課せられず，且つ，添付の書類に含まれる情報を公開することが許されていたことをここに証明します。」との証言が記載されているが，当該証言において挙げられている「T09-S15-120910-TD-PLEN-0686!R3!MSW-E」（以下，「参考資料Ｖ文書」という。）が，まず，甲第２号証を指すものであるとの客観的な証拠を欠いている。仮に，参考資料Ｖ文書が甲第２号証を指すものであるとしても，甲第２号証が，守秘義務が課せられず，公開が許されていたとの証言については，主観的なものにすぎず，具体的な事実や客観的な証拠（書面によるＩＴＵ−Ｔの事前の同意がなされた時期，仮に，書面によるＩＴＵ−Ｔの事前の同意なしに甲第２号証が公開がなされた場合には，公開がなされた時期・公開対象等を示す具体的な事実や客観的な証拠，など）によって裏付けられたものではないから，甲第２号証が，本件特許の出願日前に「頒布された刊行物」であるということはできない。
　よって，甲第２号証は，特許法第２９条第１項第３号の「頒布された刊行物」又は「電気通信回線を通じて公衆に利用可能となった」もののいずれにもあたらない。
　そうすると，甲第２号証は，各本件特許発明が，特許法第２９条第１項第３号又は第２項に違反してなされたものであるか否かを判断する証拠として採用することはできない。
　よって，甲第２号証は，証拠能力を有さないので，甲第２号証に記載された事項の認定は行わない。
３　甲第３号証
　甲第３号証（TimeProvider 5000 IEEE 1588 Grand Master Clock / NTP Server）は，表紙に「User's Guide Revision E - September 2011」と記載され，２ページ目に「printed in U.S.A」と記載されていることから，TimeProvider 5000 IEEE 1588 Grand Master Clock / NTP Serverという製品のユーザーズガイドであって，２０１１年９月に米国で印刷及び頒布された刊行物と認める。
　そして，甲第３号証には，図面とともに，以下の事項が記載されている。
（１）「The TimeProvider 5000 is a Next Generation Network (NGN) packet-based timing and frequency device that combines the functionality of a highly-accurate, IEEE 1588 2008 Grand Master Clock and/or NTP server with T1/E1 I/O ports, 1PPS/10MHz and Expansion (DTI) output ports, and 1PPS+TOD inputs.」（第２６ページ第２−５行）
（［当審仮訳］　ＴｉｍｅＰｒｏｖｉｄｅｒ５０００は，高精度のＩＥＥＥ　１５８８　２００８グランドマスタクロック及び／又はＴ１／Ｅ１　Ｉ／Ｏポートを有するＮＴＰサーバ，１ＰＰＳ／１０ＭＨｚ及び拡張（ＤＴＩ）出力ポート，及び１ＰＰＳ＋ＴＯＤ入力の機能を組み合わせた，次世代ネットワーク（ＮＧＮ）パケットベースのタイミング及び周波数装置である。
（２）「Figure 1-1 is a front view of the TimeProvider 5000 showing connectors and LEDs. Connections for the GPS/GNSS input signal, Ethernet Management, and EIA-232 serial connection are located on the IMC module. Small Form-factor Pluggable (SFP) connectors are located on the IOC modules. 」（第２９ページ第８−１１行）
（［当審仮訳］　図１−１は，コネクタ及びＬＥＤを示したＴｉｍｅＰｒｏｖｉｄｅｒ５０００の正面図である。ＧＰＳ／ＧＮＳＳ入力信号に対する接続部，イーサネット管理，及びＥＩＡ−２３２シリアル接続部が，ＩＭＸモジュール上に配置されている。スモールフォームファクタプラガブル（ＳＦＰ）コネクタが，ＩＯＣモジュールに配置されている。
（３）「PTP/NTP Connections
 The two Ethernet 100/1000 Small-form Factor Pluggable (SFP) connections on each IOC provide redundant PTP outputs.」（第６２ページ第１−３行）
（［当審仮訳］　各ＩＯＣに設けられた２つのイーサネット１００／１０００スモールファクタプラガブル（ＳＦＰ）接続部は，冗長なＰＴＰ出力を与える。）
　
（４）「
」（第２９ページ）
（５）「
」（第６２ページ）
（６）「
」（第６２ページ）
（７）「
」（第２６９ページ）
　以下，前記（１）ないし（７）の記載並びに本件特許の優先日における技術常識を参酌して，甲第３号証に記載した事項について検討する。
ア　前記（１）及び（２）より，「ＴｉｍｉｎｇＰｒｏｖｉｄｅｒ５０００」は，タイミングを提供する装置であって，「ＧＰＳ／ＧＮＳＳ入力信号」を受信する手段と，ＩＥＥＥ　１５８８　２００８グランドマスタクロックを備えるものといえる。
イ　前記（３）ないし（７）より，「ＴｉｍｉｎｇＰｒｏｖｉｄｅｒ５０００」は，図（６）に記載されたＳＦＰモジュールを接続するコネクタを備えるものである。
　また，前記コネクタは，「ＴｉｍｉｎｇＰｒｏｖｉｄｅｒ５０００」の正面に，他の複数のインターフェースとともに配置されるものであること，及び，その形状からすれば，前記ＳＦＰモジュールが差し込まれることに適したものであることは明らかである。
　前記（１）ないし（７）並びにア及びイの検討から，甲第３号証には，以下の発明（以下，「甲３発明」という。）が記載されていると認める。
「　タイミングを提供する装置であって，
　ＧＰＳ／ＧＮＳＳ信号を入力する手段と，
　ＩＥＥＥ　１５８８　２００８グランドマスタクロックと，
　ＳＦＰモジュールが差し込まれることに適したコネクタとを備えた装置。」
４　甲第４号証
　甲第４号証（IEEE-1588 Standard for a Precision Clock Synchronization Protocol for Networked Measurement and Control Systems）は，表紙に「A Tutorial」及び「Copyright 2005 Agilent technologies, Inc」と記載され，２ページ以降の脚注に「Tutorial on IEEE 1588 October 10, 2005」と記載され，全体がスライド形式となっているから，ＩＥＥＥ　１５８８の規格に関する指導書であって，２００５年１０月１０日にAgilent Technologies社によって公開ないし刊行されたものと解される。
　そして，甲第４号証には，図面とともに，以下の事項が記載されている。
（１）「Syncronization Details (continued)
Synchronization computation (in the Slave clock):
offset = receipt time - precise sending time - one way delay (for a Sync mesage)
one way delay = {master to slave delay + slave to master delay}/2 (assumes symmetric delay)
master to slave delay = receipt time - precise sending time (for a Sync mesasge)
slave to master delay = Delay_Req receipt time - precise sending time (of a Delay_Req message)
From this offset the slave corrects its local clock !
」（第３３ページ）
（［当審仮訳］
同期の詳細（続き）
同期の計算（スレーブクロック内）
オフセット＝受信時刻−正確な送信時刻−一方向の遅れ（Ｓｙｎｃメッセージ）
一方向の遅れ＝｛マスタからスレーブへの遅れ＋スレーブからマスタへの遅れ｝／２（対称的な遅れを仮定）
マスタからスレーブへの遅れ＝受信時刻−正確な送信時刻（Ｓｙｎｃメッセージ）
スレーブからマスタへの遅れ＝Ｄｅｌａｙ＿Ｒｅｑ受信時刻−正確な送信時刻（Ｄｅｌａｙ＿Ｒｅｑメッセージ）
当該オフセットによりスレーブが自身のローカルクロックを修正する！）
　前記（１）の記載並びに図面（特に，第１９ページ及び第２６ページに記載の図面）の記載から，甲第４号証には，以下の事項（以下，「甲４技術事項」という。）が記載されていると認める。
「マスタとスレーブとの間で，タイムスタンプを含むメッセージを交換することにより，スレーブが，自身のローカルクロックを修正することにより，マスタとスレーブとの間でクロックを同期する，ＩＥＥＥ　１５８８の規格。」
５　甲第５号証
　甲第５号証（欧州特許出願公開第１４５３３４６号明細書）は，「Configurable electrical tranceiver in a small form factor pluggabule module realising coded interfaces」（発明の名称：［当審仮訳］コード化されたインタフェースを実現する，スモールフォームファクタプラガブルモジュールにおける構成可能な電子的トランシーバ）について，図面とともに，以下の事項が記載されている。
（１）「[0009] The development and implementation of the many variants of transmission interfaces, translate in :
- more development effort, in HW,SW and management,
- more cost for the customer,
- more items to handle,
- more spares parts,
and, particularly, no reusability in case of transition from electrical to optical or from Plesiochronous to synchronous.
[0010] The recent advent of Small Form Factor Pluggable(SFP)optical modules has reduced some of these problems within the category of the optical interfaces.
[0011] Several pluggable module designs and standards have been introduced in which a pluggable module plugs into a receptacle which is electronically connected to a hostcircuit board.
[0012] These standards offer a generally robust design which has been well received in industry and has been used to develop gigabit interface converter(GBIC) and optical converter(SOC) and providing an interface between a computer and a data communication network such as Ethernet or Fiber Channel.」（第２ページ）
（［当審仮訳］　［０００９］　伝送インタフェースの多くの異形の開発及び実装は，以下の点に翻訳される：
−　ＨＷ，ＳＷ及びマネージメントにおけるさらなる開発努力，
−　顧客に対するさらなるコスト，
−　より多くの扱うべき項目，
−　より多くのスペアパーツ
そして，特に，電気から光学へ又は従属同期（Plesiochronous）から同期へと移行する場合に，再利用可能性がないことである。
［００１０］　最近のスモールフォームファクタプラガブル（ＳＦＰ）光学モジュールの出現によって，光学インタフェースのカテゴリー内にこれら問題のいくつかが解消された。
［００１１］　プラガブルモジュールがホスト回路基板に電気的に接続されたレセプタクルに差し込まれるというプラガブルモジュールのデザイン及び規格がいくつか導入されている。
［００１２］　これらの規格は，概して安定したデザインを提供した。当該デザインは，市場によく受け入れられており，ギガビットインタフェースコンバータ（ＧＢＩＣ）及び光学コンバータ（ＳＯＣ）を発展させるために用いられ，イーサネットやファイバチャネル等のコンピュータ及びデータ通信ネットワーク間のインタフェースを提供している。
　前記（１）の記載並びに図面の記載から，甲第５号証には，以下の事項（以下，「甲５技術事項」という。）が記載されていると認める。
「光学コンバータに用いられ，ホスト回路基板に電気的に接続されたレセプタクルに差し込むことに適した，ＳＦＰ光学モジュール。」
６　甲第６号証
　甲第６号証（The evolution of the pluggable module HDTV launched fiber into the broadcast mainstream）は，インターネット上で公開されている文書であり，冒頭部分に「August 1, 2012」（２０１２年８月１日）との日付けを示す記載があるが，当該日付けは，当該文書を作成した日，インターネットに最初にアップロードした日，または，最後に更新した日であるのかなど，何を示す日付であるのか不明であるため，甲第６号証が，最初に公知となった日を特定することができない。
　なお，異議申立人が別途提出した参考資料ＶＩ（Renaud Lavoie氏による証明書）には，甲第６号証の冒頭部分に記載の氏名「Renaud Lavoie」と同姓同名の者による署名とともに，甲第６号証が，印刷物及びインターネットにより，２０１２年８月１日に公知の状態とされた旨証言しているが，当該証言をした者が，仮に，甲第６号証の作成者と同一人物であるとしても，当該証言は，個人の見解によるものにすぎず，甲第６号証が，公知の状態となった日を客観的に示す証拠とはならない。
　しかしながら，インターネット上で公開されている文書に付されている日付は，一般的には，最後に更新された日付である蓋然性が高いことから，ここでは，甲第６号証は，２０１２年８月１日にインターネット（電気通信回線）を通じて公衆に利用可能となったものとして取り扱う。
　そして，甲第６号証には，The evolution of the pluggable module, HDTV launched fiber into the broadcast mainstream（［当審仮訳］プラガブルモジュールの発展，ＨＤＴＶは，ファイバーをブロードキャストのメインストリームの中に発進させた）について，図面とともに，以下の事項が記載されている。
（１）「The advanced emSFP is a more intelligent pluggable, offering a rich set of new features. For example, it can include features such as measuring eye diagrams and signal power level diagnostics. Or it can provide NTSC/PAL conversion to and from analog, or HDMI conversion to and from SMPTE SDI data streams. The advanced feature set and processing of these modules, combined with the modularity of the SFP form factor, provides the configurability and flexibility demanded by the broadcast and media industries in a single, comprehensive system.」（「The SFP」の項）
（［当審仮訳］　進歩したｅｍＳＦＰは，多くの新しい特徴を提供するさらにインテリジェントなプラガブルである。例えば，アイダイアグラムの測定や信号強度レベルの診断等の特徴を含むことができる。あるいは，ＮＴＳＣ／ＰＡＬとアナログとの間の変換や，ＨＤＭＩとＳＭＰＴＥ　ＳＤＩデータストリームとの間の変換を提供することができる。多くの進歩した特徴及びこれらのモジュールの処理は，ＳＦＰフォームファクタのモジュール方式と組み合わされることによって，単一の包括的なシステム内で，放送業界やメディア業界によって要求される設定可能性及び柔軟性を提供する。）
（２）「The embedded SFP (emSFP)
The SFP is great for basic O2E and E2O for fiber, but copper cable is still widely deployed and must be supported, and standard SFPs do not help with system integration. If a facility or installation needs to handle multiple physical layers and different signal standards, you may need multiple converters. The emSFP was created to fill this need and to build one unique platform to support exactly what the user needs.
The emSFP product line covers the standard coaxial cable, fiber optic, CVBS (NTSC/PAL) to SDI conversion, HDMI-to-SDI conversion and ASI-to-IP encapsulation. These features enable a high level of integration in the core platform and a new level of flexibility for manufacturers and users.
In every case, these modules convert a serial SDI signal to the required physical layer format and transmission standard and protocol. These modules permit users to build a product today and future-proof the platform by upgrading the emSFP, not the core.」（「THe embedded SFP(emSFP)の項」）
（［当審仮訳］　ＳＦＰは，ファイバによる基本的なＯ２Ｅ及びＥ２Ｏに対して非常に有効である。しかし，銅ケーブルは依然として広く配備されておりサポートが必要であり，標準的なＳＦＰはシステムの統合における一助とはならない。施設又は設備が複数の物理レイヤ及び異なる信号標準を扱う必要がある場合，複数のコンバータが必要となる可能性がある。ｅｍＳＦＰは，このニーズを満たし，ユーザがまさに必要とするものをサポートする一つのユニークなプラットフォームを構築するために作られた。
　ｅｍＳＦＰの商品ラインは，標準的な同軸ケーブル，光ファイバー，ＣＶＢＳ（ＮＴＳＣ／ＰＡＬ）からＳＤＩへの変換，ＨＤＭＩからＳＤＩへの変換，及びＡＳＩからＩＰへのカプセル化をカバーしている。これらの特徴によって，コアプラットフォームにおける高いレベルの統合，及び，製造業者及びユーザに対する新たなレベルでの柔軟性が可能になる。
　いずれのケースにおいても，これらのモジュールは，一連のＳＤＩ信号を，要求される物理レイヤフォーマット並びに伝送規格及びプロトコルへと変換する。これらのモジュールによって，ユーザは，商品をその日に組み立てることができ，コアだけでなく，ｅｍＳＦＰをアップグレードすることによってプラットフォームを新しく保つことができる。）
　前記（１）及び（２）の記載並びに図面の記載から，甲第６号証には，以下の事項（以下，「甲６技術事項」という。）が記載されていると認める。
「　プラガブルなＳＦＰモジュールにより，通信に関するプロトコル等の変換を行うこと。」
７　甲第７号証
　甲第７号証（国際公開第２００６／０９２７８１号）は，「A SMALL FORM-FACTOR DEVICE IMPLEMENTING PROTOCOL CONVERSION」（発明の名称：［当審仮訳］プロトコル変換を実装するスモールフォームファクタデバイス）について，図面とともに，以下の事項が記載されている。
（１）「Figure 1 illustrates physical configuration of the small form-factor transceiver module 100. The module consists of a housing 101, an internal connector 102 for connection to the primary network, a printed circuit board (PCB) 103 containing all the required protocol and transmission medium conversion circuitry,- and an external connector 104 for connection to the secondary network or link.」（第４ページ第１０−２０行）
（［当審仮訳］　図１は，スモールフオームファクタトランシーバモジュール１００の物理的構成を示している。モジュールは，ハウジング１０１と，プライマリネットワークへの接続のための内部コネクタ１０２と，全ての必要なプロトコル及び伝送媒体変換回路を含んだプリント回路基板（ＰＣＢ）１０３と，第２のネットワーク又はリンクに接続するための外部コネクタ１０４とを有する。
　図２は，ＴＤＭリンクを介したイーサネットトラフィックのトランスポートのためのスモールフォームファクタトランシーバモジュール２００の簡略化したブロック図を示している。主要なブロックは，内部コネクタ２０２と，外部コネクタ２０３と，水晶発振器２１１を有するイーサネットＰＨＹ２１０と，プロトコルトランスレーションロジック２２０と，ＴＤＭ水晶発振器２３１及びＴＤＭ保護回路を有するＴＤＭ　ＰＨＹ２３０とを有する。内部コネクタ２０２は，プライマリイーサネットネットワークに接続し，外部コネクタ２０３は，第２のＴＤＭネットワーク又はリンクに接続する。）
（２）「1. A small form-factor transceiver module adapted to transfer electrical or optical transmissions between networks comprising: means for connecting to a network element on a primary network, means for feeding a secondary network or link, and means for providing protocol translation between the protocol of the primary network and that of the secondary network or link.
2. A small form-factor transceiver module of claim 1, wherein said means for providing protocol translation includes an integral protocol translation unit that performs conversion between said network protocols.
3. A small form-factor transceiver module of claim 1 wherein said transceiver conforms to one of the Small Form Factor (SFF) Multisource
 Agreement, the Small Form Factor Pluggable (SFP) Multisource Agreement, or the Gigabit Interface Converter (GBIC) Specification.」（第２０ページ第３−１４行）
（［当審仮訳］　１．　ネットワーク間の電気的又は光学的変換を伝達するように適合されたスモールファクタトランシーバモジュールであって，プライマリネットワークのネットワーク要素に接続するための手段と，セカンダリネットワーク又はリンクをフィードするための手段と，プライマリネットワーク及びセカンダリネットワーク又はリンクのプロトコルの間のプロトコルトランスレーションを提供するための手段と，を備えるスモールフォームファクタトランシーバモジュール。
２．　前記プロトコルトランスレーションを提供するための手段は，前記ネットワークプロトコル間のコンバージョンを実行する統合プロトコルトランスレーション部を含む，請求項１に記載のスモールフォームファクタトランシーバモジュール。
３．　前記トランシーバは，スモールフォームファクタ（ＳＦＦ）マルチソースアグリーメント，スモールフォームファクタプラガブル（ＳＦＰ）マルチソースアグリーメント，又は，ギガビットインタフェースコンバータ（ＣＢＩＣ）仕様のうちの一つに適合する，請求項１に記載のスモールフォームファクタトランシーバモジュール。）
　前記（１）及び（２）の記載並びに図面の記載から，甲第７号証には，以下の事項（以下，「甲７技術事項」という。）が記載されていると認める。
「　プライマリネットワークと接続するための内部コネクタと，
　セカンダリネットワーク又はリンクと接続するための外部コネクタと，
　プライマリネットワークと，セカンダリネットワーク又はリンクとの間のプロトコル変換を実行するためのプロトコルトランスレーションロジックと，
　ＴＤＭ水晶発振器と，
　ハウジングと，
を備え，ＳＦＰマルチソースアグリーメントに適合する，スモールフォームファクタトランシーバモジュール。」
８　甲第８号証
　甲第８号証（OE Solutions and Aim Valley announce Smart SFPTM with OC-3/STM-1 over Packet）は，インターネット上で公開されている文書であり，冒頭部分に「April 12, 2012」（２０１２年８月１２日）との日付けを示す記載があるが，当該日付けは，当該文書を作成した日，インターネットに最初にアップロードした日，または，最後に更新した日であるのかなど，何を示す日付であるのか不明であるため，甲第８号証が，最初に公知となった日を特定することができない。
　しかしながら，インターネット上で公開されている文書に付されている日付は，一般的には，最後に更新された日付である蓋然性が高いことから，ここでは，甲第８号証は，２０１２年８月１２日にインターネット（電気通信回線）を通じて公衆に利用可能となったものとして取り扱う。
　そして，甲第８号証には，OE Solutions and AimValley announce Smart SFPTM with OC-3/STM-1 over Packet（［当審仮訳］ＯＥ　Ｓｏｌｕｔｉｏｎｓ及びＡｉｍＶａｌｌｅｙが，ＯＣ−３／ＳＴＭ−１を備えたスマートＳＦＰＴＭを発表）について，図面とともに，以下の事項が記載されている。
（１）「OE Solutions and AimValley enable a smooth network migration with the OC-3/STM-1 over Packet Smart SFPTM, using Transparent SONET/SDH over Packet(TSoP). The TSoP protocol converts SONET/SDH TDM trafiic to a packet stream. Operators now can transport OC-3 or STM-1 traffic across a packet network by simply adding a TSoP SFP to any router or packet switch.」
([当審仮訳]　ＯＥ　Ｓｏｌｕｔｉｏｎｓ及びＡｉｍＶａｌｌｅｙは，Ｔｒａｎｓｐａｒｅｎｔ　ＳＯＮＥＴ／ＳＤＨ　ｏｖｅｒ　Ｐａｃｋｅｔ（ＴＳｏＰ）を用いて，Ｐａｃｋｅｔ　Ｓｍａｒｔ　ＳＦＰＴＭによる，ＯＣ−３／ＳＴＭ−１によってスムーズなネットワークの移行を可能にする。ＴＳｏＰプロトコルは，ＳＯＮＥＴ／ＳＤＨ　ＴＤＭトラフィックをパケットストリームに変換する。オペレータは，任意のルータ又はパケットスイッチにＴＳｏＰ　ＳＦＰを加えるだけで，パケットネットワークを介してＯＣ−３又はＳＴＭ−１トラフィックを運ぶことができる。）
（２）「The integration of TSoP into an SFP greatly reduces system and network complexity, and offers lower carbon footprint while generationg CAPEX  OPEX savings.」
([当審仮訳]　”ＴＳｏＰをＳＦＰに統合することにより，システム及びネットワークの複雑さが大幅に削減され，そして，設備投資及び運用コストの節約を生み出しつつ二酸化炭素排出量を少なくすることができる。”)
　前記（１）及び（２）の記載並びに図面の記載から，甲第８号証には，以下の事項（以下，「甲８技術事項」という。）が記載されていると認める。
「ＴＳｏＰをＳＦＰに統合したＴＳｏＰ　ＳＦＰを，任意のルータ又はパケットスイッチに加えることにより，パケットネットワークを介してＯＣ−３３又はＳＴＭ−１トラフィックを運ぶことができるようになること。」
９　甲第９号証
　甲第９号証（フィンランド国実用新案登録第７５３０号明細書）については，甲第９号証の写し（添付資料９Ａ）とともに提出された甲第９号証の英語訳文（添付資料９Ｂ）に記載されていると認める。以降は，甲第９号証として，当該英語訳文を参照する。
　第９号証は，「System composed of a communication device and a GPS receiver unit and communication device」（発明の名称：［当審仮訳］通信装置及びＧＰＳレシーバユニットを備えるシステム並びに通信装置）について，図面とともに，以下の事項が記載されている。
（１）「Fig.2 shows a system according to one embodiment of the invention, which is composed of a communication device 201 and a GPS receiver unit 202 releasably mountable thereto. The communication device 201 has its external surface providied with an opening 203, which is adapted to enable the insertion of the GPS receiver unit 202 into a space 205 in the commnication device allotted for a GPS receiver unit. Said insertion is represented by an arrow 204. The GPS receiver unit 202 includes a GPS receiver component 206, which is adapted to detect, from a radio frequency GPS signal, timing and/or positioning information provided by the GPS system. Preferably, the GPS receiver component 206 is a commercially available microcircuit. The GPS reveiver unit 202 includes electrical connectors 207, which are coupled to th GPS reveiver component 206 and which are adapted to couple with electrical connectors 208 included in the communication device 201 upon inserting the GPS receiver unit into the communication device. The GPS receiver unit 202 has its eternal surface provided with a radio frequency cable connector 209, which is adapted to enable the delivery of a GPS signal to the GPS receiver component 206 as the GPS receiver unit is in its installed position in the communication device.
In the system according to one embodiment of the invention, which is composed of the communication device 201 and the GPS receiver unit 202 releasably mountable thereto, the communication device includes a processor 210, which is coupled to at least some of the electrical connectors 208 included in the communication device and which is adapted process the timing and positioning information contained in a GPS signal.」（第２ページ第７−２９行）
（［当審仮訳］　図２は，本発明の一つの実施形態に係るシステムを示している。当該実施形態は，通信装置２０１及びＧＰＳレシーバユニット２０２が着脱可能に備えられている。通信装置２０１の外部表面には開口部３０３が設けられている。開口部２０３は，ＧＰＳレシーバユニットのために割り当てられた通信装置のスペース２０５内にＧＰＳレシーバユニット２０２を挿入することができるように適合している。前記開口部は，矢印２０４によって表されている。ＧＰＳレシーバユニット２０２は，ＧＰＳレシーバコンポーネント２０６を含む。ＧＰＳレシーバコンポーネント２０６は，ＧＰＳシステムによって提供されるタイミング及び／又は位置情報を，無線周波数ＧＰＳ信号から検知するように適合している。ＧＰＳレシーバコンポーネント２０６は，商用的に利用可能な超小型回路であることが好ましい。ＧＰＳレシーバユニット２０２は，電気コネクタ２０７を含む。電気コネクタ２０７は，ＧＰＳレシーバコンポーネント２０６に取り付けられ，ＧＰＳレシーバユニットを通信装置内に挿入した際に通信装置２０１内に含まれる電気コネクタ２０８に接続するように構成されている。ＧＰＳレシーバユニット２０２の外部表面には無線周波数ケーブルコネクタ２０９が設けられている，無線周波数ケーブルコネクタ２０９は，ＧＰＳレシーバユニットが通信装置内に実装された状態において，ＧＰＳ信号をＧＰＳレシーバコンポーネント２０６に送信することができるように適合されている。
　通信装置２０１及びそれに着脱可能に備えられたＧＰＳレシーバユニット２０２からなる本発明の一実施例に係るシステムにおいて，通信装置に含まれる少なくともいくつかの電気コネクタ２０８に接続され，かつ，ＧＰＳ信号に含まれるタイミング及び位置情報を処理するように適合されている。）
　以下，前記（１）の記載並びに本件特許の優先日における技術常識を参酌して，甲第９号証に記載した事項について検討する。
ア　前記（１）及びＫｕｖｉｏ２（図２）の記載によれば，「ＧＰＳレシーバユニット」（２０２）は，「通信装置」（２０１）に挿入されることに適合したハウジングを備えていることが明らかである。
　前記（１）及びアの検討から，甲第９号証には，以下の事項（以下，「甲９技術事項」という。）が記載されていると認める。
「　ＧＰＳシステムからＧＰＳ信号を受信する無線周波数ケーブルコネクタと，
　受信したＧＰＳ信号からタイミング及び／又は位置情報を検知するＧＰＳレシーバコンポーネントと，
　通信装置内の電気コネクタと接続する電気コネクタと，
　前記通信装置に挿入されることに適合したハウジングと，を備えるＧＰＳレシーバユニット。」
１０　甲第１０号証
　甲第１０号証（TimeSource 3500 GPS Primary Reference Source）は，表紙に「User's Guide Revison M - Octover 2007 」及び「Symmetricom」と記載され，第２ページに「Copyrightc1999-2006 Symmetricom, Inc. All rights reserved. Printed in U.S.A.」と記載されていることから，「TimeSouece 3500」なる製品に関するユーザーズガイドであり，Symmetricom社により，２００７年１０月に米国で公開ないし刊行されたものと解される。
　そして，甲第１０号証には，図面とともに，以下の事項が記載されている。
（１）「TimeSource 3500, shown in Figure 1-1, is a Primary Reference Source (PRS) that receives and processes signals from GPS satellites, and outputs Stratum 1 synchronization signals traceable to UTC. TimeSource 3500 applications include synchronization for central offices, wireless base stations, transmission nodes, and other cases where a primary reference source can improve the performance of a telecommnications network infrastructure.」（第２０ページ第２−７行）
（［当審仮訳］　ＴｉｍｅＳｏｕｒｃｅ　３５００は，図１−１に示されるとおり，ＧＰＳ衛星からの信号を受信及び処理し，ＵＴＣまでトレース可能なストレータム１同期信号を出力するプライマリリファレンスソース（ＰＲＳ）である。ＴｉｍｅＳｏｕｒｃｅ　３５００の応用場面は，主要オフィス，無線基地局，伝送ノード，及びプライマリリファレンスが電気通信ネットワークインフラストラクチャのパフォーマンスを向上させることができる他のケースを含む。）
　前記（１）の記載及び図面の記載から，甲第１０号証には，以下の事項（以下，「甲１０技術事項」という。）が記載されていると認める。
「　ＧＰＳ衛星からの信号を受信及び処理し，ＵＴＣまでトレース可能なストレータム１同期信号を出力するプライマリリファレンスソース（ＰＲＳ）であって，伝送ノードに応用可能な，ＴｉｍｅＳｏｕｒｃｅ　３５００。」
１１　甲第１１号証
　甲第１１号証（Synchronous　Ethernet: A Method to Transport Synchronization）は，第１２６ページ（１ページ目）の脚注に「IEEE Communications Magazine・September 2008」と記載されていることから，ＩＥＥＥにより，「IEEE Communications Magazine」という刊行物において２００８年９月に公開されたものと解される。
　そして，甲第１１号証には，Synchronous　Ethernet: A Method to Transport Synchronization（［当審仮訳］　同期イーサネット：伝送同期に対する方法）に関して，図面とともに，以下の事項が記載されている。
（１）「The EEC output timing reference is then distributed via the NE backplane to reach the Ethernet line cards.」（第１３１ページ右欄第４６−４９行）
（［当審仮訳］　ＥＥＣ出力タイミング基準は，ＮＥバックプレーンを介して分配され，イーサネットラインカードに到達する。）
　前記（１）の記載及び図面の記載から，甲第１１号証には，以下の事項（以下，「甲１１技術事項」という。）が記載されていると認める。
「　ＥＥＣ出力タイミング基準は，ＮＥバックプレーンを介して分配され，イーサネットラインカードに到達すること。」
１２　甲第１２号証
　甲第１２号証（Recommendation ITU-T G.8271/Y.1366）は，ＩＴＵ−Ｔによる勧告（Recommendation）文書であり，第ｉページの「Approval」の項目に対応する欄に「2012-02-13」と記載されていることから，２０１２年２月１３日に承認されたものである。そうすると，甲第１２号証は，２０１２年２月１３日に公開ないし刊行されたものと解される。
　そして，甲第１２号証には，図面とともに，以下の事項が記載されている。
（１）「The following figure shows an example of phase/time synchronization distributed via packet-based methods with timing support from the network. A Packet master clock function in a T-GM having access to a reference timing signal compliant with the PRTC limits originates the packet timing distribution, and every transport node implements a T-BC.」（第６ページ第１３−１６行）
（［当審仮訳］　下記の図はネットワークからのタイミングサポートでのパケットベース方式を通じた位相／時刻同期分配の一例を示している。Ｔ−ＧＭ中のＰＲＴＣ制限に準拠したタイミング信号基準にアクセスするパケット・マスタ・クロック機能は，パケットタイミング分配の起点となり，全トランスポートノードは，Ｔ−ＢＣを実装する。」
　以下，前記（１）ないし（６）の記載並びに本件特許の優先日における技術常識を参酌して，甲第１２号証に記載した事項について検討する。
ア　図３（Figure3)の記載によれば，パケットマスタクロックが，ＰＲＴＣ制限に準拠して，ＧＮＳＳとの間で時刻及び位相を同期し，当該同期が，下位のノードである，トランスポートノード，パケットスレーブクロック及びエンドアプリケーションに伝播することが見てとれる。
　前記（１）及びアの検討から，甲第１２号証には，以下の事項（以下，「甲１２技術事項」という。）が記載されていると認める。
「　パケットマスタクロックが，ＰＲＴＣ制限に準拠して，ＧＮＳＳとの間で時刻及び位相を同期し，パケットマスタクロックが起点となり，下位のノードに対してタイミング（時刻及び位相）を分配すること。」
　
第５　判断
１　本件特許発明１について
（１）理由１−１（特許法第２９条第１項第３号に対して，甲第１号証）及び理由１−２（特許法第２９条第２項に対して，甲第１号証）について
ア　対比
　本件特許発明１と甲１発明とを対比する。
　甲１発明は，「タイムスタンプ」を送信することによりスレーブに「タイミング」を分配しているから，当該「タイムスタンプ」は，「タイミング」に関する情報であるといえる。そうすると，甲１発明の「タイミングを分配する」は「タイミング情報を分配する」ことに等しい。また，「分配」は「提供」に含まれる概念であり，甲１発明の「光トランシーバ」は，「装置」の一種であることは自明である。
　よって，甲１発明の「光トランシーバ」は，本件特許発明１の「装置」に相当し，また，甲１発明の「タイミングを分配する光学トランシーバ」は，本件特許発明１の「タイミング情報を提供する装置」に相当する。
　甲１発明の「スレーブ」は，「光トランシーバ」から受信したタイムスタンプに基づいて「クロック」を再生することは明らかであるから，本件特許発明１の「スレーブクロック」と同一視できるものである。そうすると，甲１発明の「電気回路」は，「スレーブ」からみれば「マスタ」として機能する「クロック」であるといえるから，本件特許発明１の「パケットマスタクロック」とは，「タイミングをスレーブクロックへ分配するように構成される」機能を有する点において共通するとともに，そのような手段は「マスタクロック」といい得るものである。
　他方，本件特許発明は，「パケットマスタクロック」が，「プライマリリファレンスタイムクロック（ＰＲＴＣ）」により提供された「前記ＴｏＤ及び前記基準周波数」を受信して，「タイミング」を「スレーブクロック」へ分配するとの構成を備えているが，甲１発明の「マスタクロック」が，「プライマリリファレンスタイムクロック（ＰＲＴＣ）」により提供された「前記ＴｏＤ及び前記基準周波数」を受信するという構成を備えることは，ＩＥＥＥ　１５８８に係る規格を参酌しても，本件特許の優先日における技術常識であったということはできない。
　以上より，甲１発明の「ハウジング」と本件特許発明１の「ハウジング」とは，少なくとも前記「マスタクロック」を収容する点において共通している。
　さらに，甲１発明の「スモールファクタプラガブル（ＳＦＰ）」と本件特許発明の「スモールファクタプラガブル（ＳＦＰ）」とは同一視できるから，甲１発明の「ハウジング」と本件特許発明１の「ハウジング」とは，「既存のスモールフォームファクタ（ＳＦＰ）準拠のケージに差し込むことに適した」ものである点において共通する。
　また，本件特許発明１に係る「ハウジング」は，「前記パケットマスタクロックをパケット交換ネットワーク（ＰＳＮ）へ接続するため」との目的をもって，「既存のスモールフォームファクタ（ＳＦＰ）準拠のケージに差し込む」ものであることから，「装置」の「ハウジング」に収容される「パケットマスタクロック」は，「ハウジング」を「ケージ」に差し込むことにより「パケット交換ネットワーク（ＰＳＮ）へ接続」されるものと解される。
　一方，甲第１号証には，「プラガブル光学トランシーバ」（１１００）の「ハウジング」（１１１２）が差し込まれることにより「端部接続部」（１１１０）が結合されるソケットを備える「ホストデバイス」がどのような機能を有しているのかについて具体的な記載はないから，「ハウジング」をホストデバイスに差し込むことにより，「ハウジング」に収容された「電気回路」（１１０２）等が，何らかのネットワークへ接続されるものとは認められない。
イ　一致点・相違点
　以上より，本件特許発明１と甲１発明とは，以下の点で一致ないし相違する。
［一致点］
 「 タイミング情報を提供する装置であって，
　タイミングをスレーブクロックへ分配するように構成されるマスタクロックと，
　前記分配手段を収容するハウジングであって，前記ハウジングが，既存のスモールフォームファクタ（ＳＦＰ）準拠のケージに差し込むことに適した，ハウジングと，を備える装置。」
［相違点１］
　本件特許発明１は，「基準時刻（ＴｏＤ）及び基準周波数を提供するプライマリリファレンスタイムクロック（ＰＲＴＣ）」をさらに備え，前記「マスタクロック」が，「ＰＲＴＣ」によって提供される「前記ＴｏＤ及び前記基準周波数」を受信して，タイミングを分配する「パケットマスタクロック」であるのに対し，
　甲１発明は，「ＰＲＴＣ」について言及がなく，前記「マスタクロック」が，ＩＥＥＥ　１５８８のＰＴＰ（プレシジョンタイムプロトコル）に基づいて，マスタから受信したタイムスタンプに基づいてクロックを再生し，再生したクロックに基づいてタイムスタンプを生成して，自身がマスタとして前記生成したタイムスタンプをスレーブに送信することにより，スレーブにタイミングを分配する「マスタクロック」である点。
　これにともない，「ハウジング」が，本件特許発明１は，「前記ＰＲＴＣ及び前記パケットマスタクロックの両方を収容する」ものであるのに対し，甲１発明は，「前記マスタクロックを収容する」点。
［相違点２］
　「分配する」機能に関し，本件特許発明１は，「前記ＴｏＤ及び前記基準周波数に対応するタイミングオーバーパケットプロシージャに基づいて，タイミングをスレーブクロックへ分配する」ように構成されるのに対し，甲１発明は，「前記ＴｏＤ及び前記基準周波数に対応するタイミングオーバーパケットプロシージャに基づいて」との限定がない点。
［相違点３］
　「ハウジング」が「既存のスモールフォームファクタ（ＳＦＰ）準拠のケージに差し込むこと」が，本件特許発明１は，「前記パケットマスタクロックをパケット交換ネットワーク（ＰＳＮ）へ接続するため」との目的を有するのに対し，甲１発明は，「ハウジング」を「既存のスモールフォームファクタ（ＳＦＰ）準拠のケージに差し込むこと」により，どのような事項を実現するのか具体的に特定していない点。
ウ　判断
　上記各相違点について，以下検討する。
　上記各相違点に係る本件特許発明１の構成は，甲第１号証においてこれまで参照していない箇所にも記載がなく，本件特許の優先日における技術常識ないし周知技術を参酌すれば当業者にとって自明ないし容易に想到し得たものでもない。
　よって，本件特許発明１は，甲第１号証に記載された発明ではない。
　また，本件特許発明１は，甲第１号証に記載された発明に基づいて当業者が容易に発明をすることができたものではない。
　なお，異議申立人は，甲第１号証に記載された発明（甲１発明Ａ）と本件特許発明１との対比にあたり，別途提出した参考資料Ｉ（Jean-Loup Ferrant氏による証言書）を参酌している（異議申立書の第３２ページ第２３−２５行）が，当該参考資料Ｉにおける証言は，個人による主観的な見解を述べたものであって，客観的な事実を開示するものではないから，これを参酌することはできない。
　したがって，特許異議申立理由１−１及び理由１−２及び甲第１号証によっては，請求項１に係る特許を取り消すことはできない。
（２）理由１−３（特許法第２９条第２項に対して，甲第２，１及び５ないし８号証）について
　前記「第４　証拠の記載内容（証拠能力の有無）」の「２　甲第２号証」の項で述べたように，甲第２号証は，証拠として採用することができない。
　よって，特許異議申立理由１−３によっては，請求項１に係る特許を取り消すことができない。
（３）理由１−４（特許法第２９条第２項に対して，甲第３，１及び５ないし８号証）について
ア　対比
　本件特許発明１と甲３発明とを対比する。
　甲３発明の「タイミングを提供する装置」は，本件特許発明１の「タイミングを提供する装置」に相当する。
　甲３発明において，「ＧＰＳ／ＧＮＳＳ信号を入力する手段」は，入力した「ＧＰＳ／ＧＮＳＳ信号」をどのように処理するのか具体的に特定していないから，本件特許発明１の「基準時刻（ＴｏＤ）及び基準周波数を提供するプライマリリファレンスタイムクロック（ＰＲＴＣ）」に相当ないし共通するものとはいえない。
　甲３発明の「ＩＥＥＥ　１５８８　２００８グランドマスタクロック」は，本件特許発明１の「パケットマスタクロック」と，「マスタクロック」である点において共通する。
　甲３発明において，「ＳＦＰモジュールが差し込まれることに適したコネクタ」を備えることは，ＳＦＰモジュールが差し込まれる側の装置であることを示しているのに対し，本件特許発明１において，「既存のスモールフォームファクタ（ＳＦＰ）準拠のケージに差し込むことに適した，ハウジング」を備えることは，「プラガブル光学トランシーバ」が，差し込む側の装置であることを示しているから，両者が対応しないことは明らかである。
イ　一致点・相違点
　以上より，本件特許発明１と甲３発明とは，以下の点で一致ないし相違する。
［一致点］
「　タイミングを提供する装置であって，
　マスタクロック，
　を備えた装置。」
［相違点１］
　本件特許発明１は，「基準時刻（ＴｏＤ）及び基準周波数を提供するプライマリリファレンスタイムクロック（ＰＲＴＣ）」をさらに備え，前記「マスタクロック」が，「ＰＲＴＣ」によって提供される「前記ＴｏＤ及び前記基準周波数」を受信して，タイミングを分配する「パケットマスタクロック」であるのに対し，
　甲３発明は，「ＰＲＴＣ」について言及がなく，前記「マスタクロック」が，「ＩＥＥＥ　１５８８　２００８グランドマスタクロック」である点。
［相違点２］
　本件特許発明１は，「前記ＰＲＴＣ及び前記パケットマスタクロックの両方を収容するハウジングであって，前記ハウジングが，前記パケットマスタクロックをパケット交換ネットワーク（ＰＳＮ）へ接続するために既存のスモールフォームファクタ（ＳＦＰ）準拠のケージに差し込むことに適した，ハウジング」を備え，差し込む側の装置であるのに対し，甲３発明の装置は，ＳＦＰモジュールが差し込まれることに適したコネクタ」を備え，差し込まれる側の装置である点。
ウ　判断
　上記各相違点について，以下検討する。
　［相違点１］に係る本件特許発明１の構成は，甲第３号証においてこれまで参照していない箇所にも，甲第１，５ないし８号証（甲１発明，甲５技術事項ないし甲８技術事項）にも記載されておらず，かつ，本件特許の優先日における技術常識ないし周知技術であったとも認められない。
　また，［相違点２］に関し，甲第１号証（甲１発明）には，差し込む側の装置の「ハウジング」について記載されているが，差し込まれる側の装置に関する甲３発明に，差し込む側の装置の「ハウジング」の構成を適用することは技術的な阻害要因があり，かつ，そのように適用することの動機付けも存在しないから，甲３発明に，甲第１号証に記載された発明を適用することは，当業者が容易に想到し得たものではない。
　差し込む側の装置についての発明が記載された甲第５ないし７号証についても同様である。
　また，甲第８号証には，ＴＳｏＰをＳＦＰに統合したＴＳｏＰ　ＳＦＰについての技術事項（甲８技術事項）が記載されており，当該技術事項を甲３発明に適用しても，［相違点１］に係る本件特許発明１の構成とはならない。
　よって，本件特許発明１は，甲第３，１及び５ないし８号証に記載された発明に基づいて当業者が容易に発明をすることができたものではない。
　なお，異議申立人は，甲第３号証に記載された発明（甲３発明）と本件特許発明１との対比判断にあたり，別途提出した参考資料ＩＩ（Jean-Loup Ferrant氏による証言書）を参酌している（異議申立書の第３７ページ第７−９行）が，当該参考資料ＩＩにおける証言は，個人による主観的な見解を述べたものであって，客観的な事実を開示するものではないから，これを参酌することはできない。
　したがって，特許異議申立理由１−４並びに甲第３，１及び５ないし８号証によっては，請求項１に係る特許を取り消すことができない。
２　本件特許発明２（理由２：特許法第２９条第２項に対して，甲第１，２，９及び１０号証）について
　甲第２号証は，前記「第４　証拠の記載内容（証拠能力の有無）」の「２　甲第２号証」の項で述べたように，証拠として採用しない。
　本件特許発明２と甲１発明とを対比すると，前記「１　本件特許発明１について」の「（１）理由１−１（特許法第２９条第１項第３号に対して，甲第１号証）及び理由１−２（特許法第２９条第２項に対して，甲第１号証）について」の「イ　一致点・相違点」の項で挙げた［相違点１］ないし［相違点３］に加え，以下の点において相違する。
［相違点４］
　本件特許発明２は，「前記ＰＲＴＣは，グローバルサテライトナビゲーションシステム（ＧＮＳＳ）衛星によって送信されたＧＮＳＳ伝送を受信するＧＮＳＳレシーバと，前記基準周波数を生成するために，受信された前記ＧＮＳＳ伝送を処理するＧＮＳＳプロセッサと，を備える」との構成を有するのに対し，甲１発明は，「ＰＲＴＣ」を有さない以上，当該構成も有さない点。
　まず，［相違点１］に係る本件特許発明２の構成（「基準時刻（ＴｏＤ）及び基準周波数を提供するプライマリリファレンスタイムクロック（ＰＲＴＣ）」を備え，「マスタクロック」が，「ＰＲＴＣ」によって提供される「前記ＴｏＤ及び前記基準周波数」を受信して，タイミングを分配する「パケットマスタクロック」であること）は，甲第９号証及び甲第１０号証には記載も示唆もなく，かつ，本件特許の優先日における技術常識であったともいえない。
　そうすると，「ＰＲＴＣ」を備えることを前提とした［相違点４］に係る本件特許発明２の構成も，甲第９号証及び甲第１０号証には記載も示唆もなく，かつ，本件特許の優先日における技術常識であったともいえない。
　［相違点２］及び［相違点３］に係る本件特許発明２の構成も，甲第９号証及び甲第１０号証には記載も示唆もなく，かつ，本件特許の優先日における技術常識であったともいえない。
　よって，本件特許発明２は，甲第１，９及び１０号証に記載された発明に基づいて当業者が容易に発明をすることができたものではない。
　したがって，特許異議申立理由２並びに甲第１，９及び１０号証によっては，請求項２に係る特許を取り消すことはできない。
３　本件特許発明３ないし５，７，１０，１１，１３及び１５ないし１９（特許法第２９条第１項第３号に対して，甲第１号証及び／又は特許法第２９条第２項に対して，甲第１号証）について
　本件特許発明３ないし５，７，１０，１１，１３及び１５ないし１９と甲１発明とを対比すると，少なくとも，前記「１　本件特許発明１について」の「（１）理由１−１（特許法第２９条第１項第３号に対して，甲第１号証）及び理由１−２（特許法第２９条第２項に対して，甲第１号証）について」の「イ　一致点・相違点」の項で挙げた［相違点１］ないし［相違点３］において相違する。
　そして，前記「１　本件特許発明１について」の「（１）理由１−１（特許法第２９条第１項第３号に対して，甲第１号証）及び理由１−２（特許法第２９条第２項に対して，甲第１号証）について」の「ウ　判断」の項で述べたように，前記［相違点１］ないし［相違点３］は，甲第１号証に記載したものではなく，また，本件特許の優先日における技術常識ないし周知技術を参酌すれば当業者にとって自明ないし容易に想到し得たものでもない。
　よって，請求項３ないし５，７，１０，１１，１３及び１５ないし１９の記載により特定ないし付加された事項について検討するまでもなく，本件特許発明３ないし５，７，１０，１１，１３及び１５ないし１９は，甲第１号証に記載された発明ではなく，また，甲第１号証に記載された発明に基づいて当業者が容易に発明をすることができたものでもない。
　したがって，特許異議申立理由３−１，３−２，４−１，４−２，５，７−１，７−２，１０，１１−１，１１−２，１３−１，１３−２，１５−１，１５−２，１６−１，１６−２，１７−１，１７−２，１８−１，１８−２，１９−１及び１９−２並びに甲第１号証によっては，請求項３ないし５，７，１０，１１，１３及び１５ないし１９に係る特許を取り消すことはできない。
４　本件特許発明６について（特許法第２９条第２項に対して，甲第１，２，９及び１０号証）
　甲第２号証は，前記「第４　証拠の記載内容（証拠能力の有無）」の「２　甲第２号証」の項で述べたように，証拠として採用しない。
　本件特許発明６と甲１発明とを対比すると，前記「１　本件特許発明１について」の「（１）理由１−１（特許法第２９条第１項第３号に対して，甲第１号証）及び理由１−２（特許法第２９条第２項に対して，甲第１号証）について」の「イ　一致点・相違点」の項で挙げた［相違点１］ないし［相違点３］に加え，以下の点において相違する。
［相違点５］
　本件特許発明６は，「前記ＰＲＴＣは，グローバルサテライトナビゲーションシステム（ＧＮＳＳ）衛星によって送信されたＧＮＳＳ伝送を受信するＧＮＳＳレシーバと，前記ＴｏＤを生成するために，受信された前記ＧＮＳＳ伝送を処理するＧＮＳＳプロセッサと，を備える」との構成を有するのに対し，甲１発明は，「ＰＲＴＣ」を有さない以上，当該構成も有さない点。
　まず，［相違点１］に係る本件特許発明６の構成（「基準時刻（ＴｏＤ）及び基準周波数を提供するプライマリリファレンスタイムクロック（ＰＲＴＣ）」を備え，「マスタクロック」が，「ＰＲＴＣ」によって提供される「前記ＴｏＤ及び前記基準周波数」を受信して，タイミングを分配する「パケットマスタクロック」であること）は，甲第９号証及び甲第１０号証には記載も示唆もなく，かつ，本件特許の優先日における技術常識であったともいえない。
　そうすると，「ＰＲＴＣ」を備えることを前提とした［相違点５］に係る本件特許発明２の構成も，甲第９号証及び甲第１０号証には記載も示唆もなく，かつ，本件特許の優先日における技術常識であったともいえない。
　［相違点２］及び［相違点３］に係る本件特許発明６の構成も，甲第９号証及び甲第１０号証には記載も示唆もなく，かつ，本件特許の優先日における技術常識であったともいえない。
　よって，本件特許発明６は，甲第１，９及び１０号証に記載された発明に基づいて当業者が容易に発明をすることができたものではない。
　したがって，特許異議申立理由６並びに甲第１，９及び１０号証によっては，請求項６に係る特許を取り消すことはできない。
５　本件特許発明８について（特許法第２９条第１項第３号又は特許法第２９条第２項に対して，甲第１号証）
　本件特許発明８と甲１発明とを対比すると，前記「１　本件特許発明１について」の「（１）理由１−１（特許法第２９条第１項第３号に対して，甲第１号証）及び理由１−２（特許法第２９条第２項に対して，甲第１号証）について」の「イ　一致点・相違点」の項で挙げた［相違点１］ないし［相違点３］に加え，以下の点において相違する。
［相違点６］
　本件特許発明８は，「前記ＰＲＴＣは，複数の予想基準周波数を受信し，前記複数の予想基準周波数から前記基準周波数を選択する周波数セレクタを備える請求項１から７のいずれか一項に記載の装置。」との構成を有するのに対し，甲１発明は，「ＰＲＴＣ」を有さない以上，当該構成も有さない点。
　当該［相違点６］について検討するに，前記「第４　証拠の記載内容（証拠能力の有無）」の「１　甲第１号証」の（１０）を参照すると，甲第１号証の[００４４]には，「１５８８クロック」（ＩＥＥＥ　１５８８の規格に基づくクロック）が，「複数のタイミングマスタからクロックソースを選択すること」が記載されている。しかしながら，甲第１号証には，「１５８８クロック」が，「複数のタイミングマスタ」から「複数の予想基準周波数」を受信した上で，そのうちの一つを「クロックソース」として選択することまでは記載していない。
　また，甲第１号証には，そもそも「ＰＲＴＣ」について記載されていないのであるから，仮に，「１５８８クロック」が，「複数のタイミングマスタ」から「複数の予想基準周波数」を受信した上で，そのうちの一つを「クロックソース」として選択することが当業者にとって容易であるとしても，「ＰＲＴＣ」が「周波数セレクタ」を備えることが記載されているとはいえず，本件特許の優先日における技術常識から自明ともいえない。
　よって，前記［相違点１］ないし［相違点３］に加え［相違点６］に係る本件特許発明８に係る構成は，甲第１号証に記載したものではなく，また，本件特許の優先日における技術常識を参酌しても当業者が容易に想到し得たものでもない。
　したがって，特許異議申立理由８−１又は理由８−２及び甲第１号証によっては，請求項８に係る特許を取り消すことはできない。
６　本件特許発明９について（特許法第２９条第２項に対して，甲第１，２，９及び１０号証
　甲第２号証は，前記「第４　証拠の記載内容（証拠能力の有無）」の「２　甲第２号証」の項で述べたように，証拠として採用しない。
　本件特許発明９と甲１発明とを対比すると，前記「１　本件特許発明１について」の「（１）理由１−１（特許法第２９条第１項第３号に対して，甲第１号証）及び理由１−２（特許法第２９条第２項に対して，甲第１号証）について」の「イ　一致点・相違点」の項で挙げた［相違点１］ないし［相違点３］及び前記「５　本件特許発明８について（特許法第２９条第１項第３号又は特許法第２９条第２項に対して，甲第１号証）」の項で挙げた［相違点６］に加え，以下の点において相違する。
［相違点７］
　本件特許発明９は，「前記ＰＲＴＣは，グローバルサテライトナビゲーションシステム（ＧＮＳＳ）衛星によって送信されたＧＮＳＳ伝送を受信するＧＮＳＳグローバルサテライトナビゲーションシステムレシーバと，前記複数の基準周波数のうちの１つの予想基準周波数を生成するために，受信された前記ＧＮＳＳ伝送を処理するＧＮＳＳプロセッサと，を備える」との構成を有するのに対し，甲１発明は，「ＰＲＴＣ」を有さない以上，当該構成も有さない点。
　まず，［相違点１］に係る本件特許発明９の構成（「基準時刻（ＴｏＤ）及び基準周波数を提供するプライマリリファレンスタイムクロック（ＰＲＴＣ）」を備え，「マスタクロック」が，「ＰＲＴＣ」によって提供される「前記ＴｏＤ及び前記基準周波数」を受信して，タイミングを分配する「パケットマスタクロック」であること）は，甲第９号証及び甲第１０号証には記載も示唆もなく，かつ，本件特許の優先日における技術常識であったともいえない。
　そうすると，「ＰＲＴＣ」を備えることを前提とした［相違点６］及び［相違点７］に係る本件特許発明９の構成も，甲第９号証及び甲第１０号証には記載も示唆もなく，かつ，本件特許の優先日における技術常識であったともいえない。
　［相違点２］及び［相違点３］に係る本件特許発明９の構成も，甲第９号証及び甲第１０号証には記載も示唆もなく，かつ，本件特許の優先日における技術常識であったともいえない。
　よって，本件特許発明９は，甲第１，９及び１０号証に記載された発明に基づいて当業者が容易に発明をすることができたものではない。
　したがって，特許異議申立理由９並びに甲第１，９及び１０号証によっては，請求項９に係る特許を取り消すことはできない。
６　本件特許発明１２について（特許法第２９条第２項に対して，甲第１及び１１号証）
　本件特許発明１２と甲１発明とを対比すると，前記「１　本件特許発明１について」の「（１）理由１−１（特許法第２９条第１項第３号に対して，甲第１号証）及び理由１−２（特許法第２９条第２項に対して，甲第１号証）について」の「イ　一致点・相違点」の項で挙げた［相違点１］ないし［相違点３］及び前記「５　本件特許発明８について（特許法第２９条第１項第３号又は特許法第２９条第２項に対して，甲第１号証）」の項で挙げた［相違点６］に加え，以下の点において相違する。
［相違点８］
　本件特許発明１２は，「前記ＰＲＴＣは，前記装置が差し込まれる前記ＳＦＰケージを含む前記ＳＦＰのネットワーク構成要素のバックプレーンの物理データ速度に対応する前記複数の基準周波数のうちの１つの予想基準周波数を生成するクロックエクストラクタを含む」との構成を有するのに対し，甲１発明は，「ＰＲＴＣ」を有さない以上，当該構成も有さない点。
　まず，［相違点１］に係る本件特許発明１２の構成（「基準時刻（ＴｏＤ）及び基準周波数を提供するプライマリリファレンスタイムクロック（ＰＲＴＣ）」を備え，「マスタクロック」が，「ＰＲＴＣ」によって提供される「前記ＴｏＤ及び前記基準周波数」を受信して，タイミングを分配する「パケットマスタクロック」であること）は，甲第１１号証には記載も示唆もなく，かつ，本件特許の優先日における技術常識であったともいえない。
　そうすると，「ＰＲＴＣ」を備えることを前提とした［相違点６］及び［相違点８］に係る本件特許発明１２の構成も，甲第１１号証には記載も示唆もなく，かつ，本件特許の優先日における技術常識であったともいえない。
　よって，本件特許発明１２は，甲第１号証及び甲第１１号証に記載された発明に基づいて当業者が容易に発明をすることができたものではない。
　したがって，特許異議申立理由１２並びに甲第１及び１１号証によっては，請求項１２に係る特許を取り消すことはできない。
　なお，異議申立人は，異議申立書第４５ページ第２７−３０行において「そして，バックプレーンを介したＥＥＣの分配は，バックプレーンを介したデータ／情報伝送の特別な場合であり，ＥＥＣは本質的に，バックプレーンを介してＥＥＣを伝送する信号の物理データ速度に応答するものである。」と主張しているが，当該主張は，具体的な根拠を欠くものである。
　
７　本件特許発明１４について（特許法第２９条第２項に対して，甲第１，２，９及び１０号証）
　
　甲第２号証は，前記「第４　証拠の記載内容（証拠能力の有無）」の「２　甲第２号証」の項で述べたように，証拠として採用しない。
　本件特許発明１４と甲１発明とを対比すると，前記「１　本件特許発明１について」の「（１）理由１−１（特許法第２９条第１項第３号に対して，甲第１号証）及び理由１−２（特許法第２９条第２項に対して，甲第１号証）について」の「イ　一致点・相違点」の項で挙げた［相違点１］ないし［相違点３］，前記「５　本件特許発明８について（特許法第２９条第１項第３号又は特許法第２９条第２項に対して，甲第１号証）」の項で挙げた［相違点６］及び前記「６　本件特許発明１２について（特許法第２９条第２項に対して，甲第１号証及び甲第１１号証）」の項で挙げた［相違点８］に加え，以下の点において相違する。
［相違点９］
　本件特許発明１２は，「前記ＰＲＴＣは，グローバルサテライトナビゲーションシステム（ＧＮＳＳ）衛星によって送信されたＧＮＳＳ伝送を受信するＧＮＳＳレシーバと，前記複数の基準ＴｏＤのうちの１つの予想基準ＴｏＤを生成するために，受信された前記ＧＮＳＳ伝送を処理するＧＮＳＳプロセッサと，を備える」との構成を有するのに対し，甲１発明は，「ＰＲＴＣ」を有さない以上，当該構成も有さない点。
　まず，［相違点１］に係る本件特許発明１４の構成（「基準時刻（ＴｏＤ）及び基準周波数を提供するプライマリリファレンスタイムクロック（ＰＲＴＣ）」を備え，「マスタクロック」が，「ＰＲＴＣ」によって提供される「前記ＴｏＤ及び前記基準周波数」を受信して，タイミングを分配する「パケットマスタクロック」であること）は，甲第９号証及び甲第１０号証には記載も示唆もなく，かつ，本件特許の優先日における技術常識であったともいえない。
　そうすると，「ＰＲＴＣ」を備えることを前提とした［相違点６］，［相違点８］及び［相違点９］に係る本件特許発明１４の構成も，甲第９号証及び甲第１０号証には記載も示唆もなく，かつ，本件特許の優先日における技術常識であったともいえない。
　よって，本件特許発明１４は，甲第１，９及び１０号証に記載された発明に基づいて当業者が容易に発明をすることができたものではない。
　したがって，特許異議申立理由１４並びに甲第１，９及び１０号証によっては，請求項１４に係る特許を取り消すことはできない。
８　補足
（１）異議申立人は，別途提出した参考資料ＩＩＩによれば，特許権者は，甲第２号証の発行主体であるＩＴＵ−Ｔの第１５スタディグループの第１３課題の参加者である旨，また，参考資料ＩＶによれば，本件特許発明の主要部を構成する，甲第２号証に記載された事項は，特許権者とは別の主体によって提案されたものである旨主張している。（異議申立書の第５０ページ１８行−第５１ページ第４行）
　しかしながら，当該主張が正しいとしても，当該主張と特許異議の申立ての理由との関係が不明であるので，当該主張は考慮しない。
（２）異議申立人は，平成２８年８月１２日付けで上申書を自発的に提出しているが，当該上申書は，特許異議の申立てをすることができる期間の経過後に提出されたものであり，また，参考資料VIIIにより異議申立書の内容を補足し，及び，実質的に新たな証拠（参考資料IX）を提出し，当該新たな証拠に基づく特許異議申立理由を追加するものであるから，当該上申書は，参酌しない。
第６　むすび
　したがって，特許異議申立理由及び証拠によっては，請求項１ないし１９に係る特許を取り消すことはできない。
　また，他に請求項１ないし１９に係る特許を取り消すべき理由を発見しない。
　よって，結論のとおり決定する。
【異議決定日】
平成２８年９月２３日（２０１６．９．２３）